(57)【要約】【課題】  アルカリイオン水及び酸性イオン水の何れか一方の整水を選択的に水道水と同等の流量で供給することができると共に、他方の整水の排出量を低減して、水道水の消費量を低減してアルカリイオン水又は酸性イオン水を効率よく供給することができるイオン整水器を提供する。【解決手段】  電解槽１２の少なくともイオン交換膜に対向する領域の一部を可撓膜によって形成すると共に当該電解槽１２を整水器本体１１内に配置し、電解槽１２内に供給する水道水を電解槽１２と整水器本体１１との間の空間にも供給して、電解槽１２を水道水中に保持するようにすると共に、吐水路１４から吐水される吐水量に対する排出路１５から排出される排出量の割合が小さく設定されており、且つ吐水路１４からアルカリイオン水及び酸性イオン水の何れか一方の整水を選択的に吐水させる選択手段を具備する。【選択図】        図３
2005342646.tif 000002
【特許請求の範囲】
【請求項１】
イオン交換膜とこのイオン交換膜の両側に配置される一対の電極とを有する電解槽と、該電解層内に水道水を供給する水道水供給路と、前記電解槽からアルカリイオン水及び酸性イオン水の何れか一方の整水を吐水する吐水路と、他方の整水を排出する排出路とを具備し、前記電解層内に水道水を導入し、この水道水を電離することによりアルカリイオン水及び酸性イオン水を生成するイオン整水器において、
前記電解槽の少なくとも前記イオン交換膜に対向する領域の一部を可撓膜によって形成すると共に当該電解槽を整水器本体内に配置し、前記電解槽内に供給する水道水を前記電解槽と前記整水器本体との間の空間にも供給して、前記電解槽を水道水中に保持するようにすると共に、前記吐水路から吐水される吐水量に対する前記排出路から排出される排出量の割合が小さく設定されており、且つ
前記吐水路から前記アルカリイオン水及び酸性イオン水の何れか一方の整水を選択的に吐水させる選択手段を具備することを特徴とするイオン整水器。
【請求項２】
請求項１において、前記選択手段が、前記電極に印加する電圧の極性を反転させて前記吐水路から前記アルカリイオン水又は前記酸性イオン水を選択的に吐水させることを特徴とするイオン整水器。
【請求項３】
請求項１において、前記イオン交換膜の両側に第１及び第２の空間を具備すると共に、前記第１及び第２の空間と前記吐水路及び前記排出路とを相互に接続する接続流路と、該接続流路の接続状態が反転するように切り替える反転手段とを具備し、前記選択手段が前記反転手段を制御することを特徴とするイオン整水器。
【請求項４】
請求項３において、前記接続流路は、前記第１及び第２の空間の何れか一方と前記吐水路及び前記排出路の何れか一方とを連結する第１の流路と、この第１の流路に設けられた第１の流量調整手段と、前記第１及び第２の空間の他方と前記吐水路及び前記排出路の他方とを連結する第２の流路と、この第２の流路に設けられた第２の流量調整手段と、前記第１の流路の前記第１の流量調整手段の上流側を前記第２の流路の前記第２の流量調整手段の下流側へ連通させる第３の流路と、この第３の流路に設けられた第３の流量調整手段と、前記第２の流路の前記第２の流量調整手段の上流側を前記第１の流路の前記第１の流量調整手段の下流側へ連通させる第４の流路と、この第４の流路に設けられた第４の流量調整手段とを具備し、前記反転手段が前記第１〜第４の流量調整手段で構成されていると共に、前記選択手段が前記反転手段の前記第１及び第２の流量調整手段の開時に前記第３及び第４の流量調整手段を閉にする第１の切替状態と、前記第１及び第２の流量調整手段の閉時に前記第３及び第４の流量調整手段を開にする第２の切替状態とを反転させることを特徴とするイオン整水器。
【請求項５】
請求項３において、前記接続流路は、前記第１及び第２の空間からの２系統の流路と前記吐水路及び前記排出路への２系統の流路とを接続する２入力２出力の前記反転手段を含み、当該反転手段が、前記第１及び第２の空間の何れか一方と前記吐水路及び前記排出路の何れか一方とを連結すると共に他方同士を連結する第１の切替状態と、前記第１及び第２の空間のそれぞれを前記第１の切替状態とは異なる他方へ連結する第２の切替状態とを具備し、前記選択手段が前記反転手段の前記切替手段の第１の切替状態と前記第２の切替状態とを反転させることを特徴とするイオン整水器。
【請求項６】
請求項１〜５の何れかにおいて、前記吐水路から吐水される一方の整水の吐水量に対する前記排出路から排出される他方の整水の排出量の割合を２〜２０％とすることを特徴とするイオン整水器。
【請求項７】
請求項１〜６の何れかにおいて、前記吐水路に設けられて一方の整水の吐水量を検出する吐水量検出手段と、前記排出路に設けられて他方の整水の排出量を調整する排出量調整手段とを具備し、流量制御手段が、前記吐水量検出手段が検出した前記吐水路の実際の吐水量に基づいて、前記吐水路の吐水量に対する前記排出路の排出量が所定の割合となるように前記排出量調整手段を制御することを特徴とするイオン整水器。
【請求項８】
請求項７において、前記排出路には、前記他方の排出量を検出する排出量検出手段をさらに具備することを特徴とするイオン整水器。
【請求項９】
請求項８において、前記流量制御手段は、前記排出量検出手段が検出した前記排出路の排出量に基づいて当該排出路の実際の排出量をフィードバック制御することを特徴とするイオン整水器。
【請求項１０】
請求項１〜９の何れかにおいて、前記イオン交換膜の両側に第１及び第２の空間を具備すると共に、前記第１及び第２の空間の何れか一方と連通する第１の連通流路に設けられてアルカリイオン水及び酸性イオン水の何れか一方の整水の流量を検出する第１の連通流量検出手段と、前記第１及び第２の空間の他方と連通する第２の連通流路に設けられて他方の整水の流量を検出する第２の連通流量検出手段と、前記第１の流量検出手段の下流側に設けられて前記第１の連通路の流量を調整する第１の連通流量調整手段と、前記第２の連通流量検出手段の下流側に設けられて前記第２の連通流路の流量を調整する第２の連通流量調整手段とを具備し、前記選択手段が前記第１の連通流量調整手段及び第２の連通流量調整手段を制御することにより、前記第１及び第２の連通路の何れか一方を選択的に前記吐水路とすることを特徴とするイオン整水器。
【請求項１１】
請求項１〜１０の何れかにおいて、前記空間の前記電解槽とは接触しない領域の少なくとも一部に空気が残留している空気部を有することを特徴とするイオン整水器。
【請求項１２】
請求項１〜１１の何れかにおいて、前記電解槽の全面が前記可撓膜で構成されていることを特徴とするイオン整水器。
【請求項１３】
請求項１〜１２の何れかにおいて、前記可撓膜がプラスチックシートからなることを特徴とするイオン整水器。
【請求項１４】
請求項１〜１３の何れかにおいて、前記水道水供給路からの水道水を前記電解槽と共に当該電解槽と前記整水器本体との間の空間にも供給するようにしたことを特徴とするイオン整水器。
【請求項１５】
請求項１〜１４の何れかにおいて、前記空間に供給された水道水を外部に排出する水道水排出路を具備することを特徴とするイオン整水器。
【請求項１６】
請求項１５において、前記水道水排出路と前記排出路とを連通させ、前記電解槽と前記整水器本体との間の空間に供給された水道水を、前記排出路から他方の整水と共に外部に排出するようにしたことを特徴とするイオン整水器。
【請求項１７】
請求項１〜１６の何れかにおいて、前記一対の電極のそれぞれが、多孔性材料からなるスペーサの一方面にそれぞれ固定され、これらスペーサが前記イオン交換膜を挟持するように前記電解槽内に配設されていることを特徴とするイオン整水器。
【請求項１８】
請求項１〜１７の何れかにおいて、前記一対の電極のそれぞれが、前記電解槽内に前記イオン交換膜と所定間隔離れて配設されていることを特徴とするイオン整水器。
【請求項１９】
請求項１〜１８の何れかにおいて、前記吐水路には、水栓が設けられていると共に、当該吐水路から吐水される一方の整水の吐水量が前記水栓により調整されることを特徴とするイオン整水器。
【請求項２０】
請求項１〜１９の何れかにおいて、前記電解槽を二段以上の多段にし、第１段電解槽には前記水道水供給路から直接水道水を供給するようにすると共に第２段以降の後段電解槽には、その前段の電解槽が生成したアルカリイオン水及び酸性イオン水の何れか一方の整水を供給するようにし、各段の電解槽で生成された他方の整水を前記吐水路から吐水するようにすると共に、最も後段の電解槽で生成された他方の整水を前記排出路から排出するようにしたことを特徴とするイオン整水器。
【発明の詳細な説明】
【技術分野】
【０００１】
本発明は、水道から供給される水道水を電離してアルカリイオン水及び酸性イオン水を供給可能なイオン整水器に関し、特に、電解槽内にイオン交換膜を介在させてアルカリイオン水と酸性イオン水とを分離生成するタイプのイオン整水器に関する。
【背景技術】
【０００２】
水道水からアルカリイオン水及び酸性イオン水を生成するイオン整水器としては、正負の電極間にイオン交換膜を介在させ、水の電気分解作用を利用して、アルカリイオン水と酸性イオン水とに分離生成するものがある。また、このようなイオン整水器としては、水道のカラン（蛇口）から取水し、専用吐水口からアルカリイオン水、酸性イオン水を吐水する、シンク上へ本体を設置するタイプのものがある。また、アンダーシンク内へ本体を設置する、いわゆるビルトインタイプのものがあるが、これは取水及び吐水を行う専用のカランを有し、水道のカランとは別の専用吐水口からアルカリイオン水を吐水するものである。
【０００３】
このビルトインタイプのイオン整水器（例えば、特許文献１参照）は、例えば、利用者がイオン整水器へ接続された原水管の水栓を開くことによって原水管から水道水が通水されて電解槽に供給され、この電解槽でアルカリイオン水と酸性イオン水とが生成される。そして、電解槽で生成されたアルカリイオン水が吐水管を経て吐水されると共に、酸性イオン水が酸性水吐水管を経て排水される。また、利用者が水栓を閉じることによって原水管からの通水が停止されることによってアルカリイオン水の吐水が停止する。
【０００４】
このようなイオン整水器では、アルカリイオン水の吐水を停止した際、酸性イオン水が排水される酸性水排出管は大気開放されているため、電解槽内のアルカリイオン水側と酸性イオン水側とで水圧差が生じる。そして、電解槽内に配置されているイオン交換膜は、その厚さが極めて薄く、また水素イオンを通すための小穴が開いているため破損しやすく、このような水圧差によって瞬時に破損してしまうという問題がある。
【０００５】
このため、従来の装置では、水道水の流量が２０〜３０（Ｌ／分）程度であるのに対し、生成されるアルカリイオン水の流量は、２〜３（Ｌ／分）程度と極めて少なく抑えなければならず、一般的に、アルカリイオン水は飲料用に用いられるだけで、比較的多くの流量を必要とする入浴・シャワー等には利用することはできなかった。
【０００６】
また、このようなイオン整水器では、アルカリイオン水の吐水量と酸性イオン水の排出量との割合が一定となるように設定されている。このアルカリイオン水の吐水量と酸性イオン水の排出量との割合は、例えば、５対５又は６対４などであり、利用するアルカリイオン水に対して酸性イオン水を略同等量排出してしまい、水道水を無駄に消費してしまうという問題がある。
【０００７】
また、アルカリイオン水の吐水量に対して酸性イオン水の排出量の割合を小さく設定したり、この割合を変更したりすると、電解槽のイオン交換膜で区画された空間に圧力差が生じてしまい、イオン交換膜が破壊されてしまうという問題がある。
【０００８】
その他に、アルカリイオン水のｐＨ値を調整する技術として、特許文献２に開示されたようなものがある。
【０００９】
【特許文献１】特開平１０−１９２８５８号公報
【特許文献２】特開平０７−１２４５６１号公報
【発明の開示】
【発明が解決しようとする課題】
【００１０】
本発明はこのような事情に鑑み、アルカリイオン水及び酸性イオン水の何れか一方の整水を選択的に水道水と同等の流量で供給することができると共に、他方の整水の排出量を低減して、水道水の消費量を低減してアルカリイオン水又は酸性イオン水を効率よく供給することができるイオン整水器を提供することを課題とする。
【課題を解決するための手段】
【００１１】
上記課題を解決する本発明の第１の態様は、イオン交換膜とこのイオン交換膜の両側に配置される一対の電極とを有する電解槽と、該電解層内に水道水を供給する水道水供給路と、前記電解槽からアルカリイオン水及び酸性イオン水の何れか一方の整水を吐水する吐水路と、他方の整水を排出する排出路とを具備し、前記電解層内に水道水を導入し、この水道水を電離することによりアルカリイオン水及び酸性イオン水を生成するイオン整水器において、前記電解槽の少なくとも前記イオン交換膜に対向する領域の一部を可撓膜によって形成すると共に当該電解槽を整水器本体内に配置し、前記電解槽内に供給する水道水を前記電解槽と前記整水器本体との間の空間にも供給して、前記電解槽を水道水中に保持するようにすると共に、前記吐水路から吐水される吐水量に対する前記排出路から排出される排出量の割合が小さく設定されており、且つ前記吐水路から前記アルカリイオン水及び酸性イオン水の何れか一方の整水を選択的に吐水させる選択手段を具備することを特徴とするイオン整水器にある。
【００１２】
かかる第１の態様では、アルカリイオン水及び酸性イオン水の何れか一方の整水を選択的に供給することができると共に、電解槽内で生じる水圧差が電解槽の一部を構成する可撓膜が変形することで実質的に吸収されるため、イオン交換膜が変形することによる破損が防止される。したがって、電解槽に供給する水道水の水圧を上昇させることができ、供給するアルカリイオン水又は酸性イオン水の吐水量を増加させることができる。また、吐水路から吐水されるアルカリイオン水及び酸性イオン水の何れか一方の整水の吐水量に対する他方の整水の排出量の割合を小さくすることで、水道水の無駄な消費を低減して効率よく一方の整水を供給することができる。
【００１３】
本発明の第２の態様は、第１の態様において、前記選択手段が、前記電極に印加する電圧の極性を反転させて前記吐水路から前記アルカリイオン水又は前記酸性イオン水を選択的に吐水させることを特徴とするイオン整水器にある。
【００１４】
かかる第２の態様では、選択手段が電極に印加する電圧を反転させるだけで、同一の吐水路から吐水する整水をアルカリイオン水及び酸性イオン水の何れか一方から他方に容易に切り替えることができる。
【００１５】
本発明の第３の態様は、第１の態様において、前記イオン交換膜の両側に第１及び第２の空間を具備すると共に、前記第１及び第２の空間と前記吐水路及び前記排出路とを相互に接続する接続流路と、該接続流路の接続状態が反転するように切り替える反転手段とを具備し、前記選択手段が前記反転手段を制御することを特徴とするイオン整水器にある。
【００１６】
かかる第３の態様では、反転手段によって同一の吐水路からアルカリイオン水及び酸性イオン水の何れか一方の整水を選択的に吐水させて、整水を選択的に供給することができる。
【００１７】
本発明の第４の態様は、第３の態様において、前記接続流路は、前記第１及び第２の空間の何れか一方と前記吐水路及び前記排出路の何れか一方とを連結する第１の流路と、この第１の流路に設けられた第１の流量調整手段と、前記第１及び第２の空間の他方と前記吐水路及び前記排出路の他方とを連結する第２の流路と、この第２の流路に設けられた第２の流量調整手段と、前記第１の流路の前記第１の流量調整手段の上流側を前記第２の流路の前記第２の流量調整手段の下流側へ連通させる第３の流路と、この第３の流路に設けられた第３の流量調整手段と、前記第２の流路の前記第２の流量調整手段の上流側を前記第１の流路の前記第１の流量調整手段の下流側へ連通させる第４の流路と、この第４の流路に設けられた第４の流量調整手段とを具備し、前記反転手段が前記第１〜第４の流量調整手段で構成されていると共に、前記選択手段が前記反転手段の前記第１及び第２の流量調整手段の開時に前記第３及び第４の流量調整手段を閉にする第１の切替状態と、前記第１及び第２の流量調整手段の閉時に前記第３及び第４の流量調整手段を開にする第２の切替状態とを反転させることを特徴とするイオン整水器にある。
【００１８】
かかる第４の態様では、第１〜第４の流路からなる接続流路と、接続流路に設けられた第１〜第４の流量調整手段からなる反転手段とによって、第１及び第２の空間と吐水路とを切替自在に連通させることができ、吐水路からアルカリイオン水及び酸性イオン水の何れか一方を選択的に吐水させることができる。
【００１９】
本発明の第５の態様は、第３の態様において、前記接続流路は、前記第１及び第２の空間からの２系統の流路と前記吐水路及び前記排出路への２系統の流路とを接続する２入力２出力の前記反転手段を含み、当該反転手段が、前記第１及び第２の空間の何れか一方と前記吐水路及び前記排出路の何れか一方とを連結すると共に他方同士を連結する第１の切替状態と、前記第１及び第２の空間のそれぞれを前記第１の切替状態とは異なる他方へ連結する第２の切替状態とを具備し、前記選択手段が前記反転手段の前記切替手段の第１の切替状態と前記第２の切替状態とを反転させることを特徴とするイオン整水器にある。
【００２０】
かかる第５の態様では、２入力２出力の切替手段によってアルカリイオン水及び酸性イオン水を通過させる接続流路が反転されるように接続流路を切り替えることができる。
【００２１】
本発明の第６の態様は、第１〜５の何れかの態様において、前記吐水路から吐水される一方の整水の吐水量に対する前記排出路から排出される他方の整水の排出量の割合を２〜２０％とすることを特徴とするイオン整水器にある。
【００２２】
かかる第６の態様では、アルカリイオン水及び酸性イオン水の何れか一方の整水の吐水量に対する他方の整水の排出量を最小限に抑えることができる。
【００２３】
本発明の第７の態様は、第１〜６の何れかの態様において、前記吐水路に設けられて一方の整水の吐水量を検出する吐水量検出手段と、前記排出路に設けられて他方の整水の排出量を調整する排出量調整手段とを具備し、流量制御手段が、前記吐水量検出手段が検出した前記吐水路の実際の吐水量に基づいて、前記吐水路の吐水量に対する前記排出路の排出量が所定の割合となるように前記排出量調整手段を制御することを特徴とするイオン整水器にある。
【００２４】
かかる第７の態様では、吐水量検出手段が検出した吐水路の流量に応じて排出量調整手段を制御することで、吐水路からの何れか一方の整水の吐水に連動して排出路から他方の整水を排出させることができると共に、吐水路からの吐水量に対する排出路からの排出量の割合を容易に制御することができる。
【００２５】
本発明の第８の態様は、第７の態様において、前記排出路には、前記他方の排出量を検出する排出量検出手段をさらに具備することを特徴とするイオン整水器にある。
【００２６】
かかる第８の態様では、排出路からの他方の整水の排出量を検出して排出路からの排出量と吐水路からの吐水量との比率が所定の割合となるように制御できる。
【００２７】
本発明の第９の態様は、第８の態様において、前記流量制御手段は、前記排出量検出手段が検出した前記排出路の排出量に基づいて当該排出路の実際の排出量をフィードバック制御することを特徴とするイオン整水器にある。
【００２８】
かかる第９の態様では、吐水路からの実際の吐水量に対する排出路からの実際の排出量が所定の割合になっていることを確認しながら確実に制御することができる。
【００２９】
本発明の第１０の態様は、第１〜９の何れかの態様において、前記イオン交換膜の両側に第１及び第２の空間を具備すると共に、前記第１及び第２の空間の何れか一方と連通する第１の連通流路に設けられてアルカリイオン水及び酸性イオン水の何れか一方の整水の流量を検出する第１の連通流量検出手段と、前記第１及び第２の空間の他方と連通する第２の連通流路に設けられて他方の整水の流量を検出する第２の連通流量検出手段と、前記第１の流量検出手段の下流側に設けられて前記第１の連通路の流量を調整する第１の連通流量調整手段と、前記第２の連通流量検出手段の下流側に設けられて前記第２の連通流路の流量を調整する第２の連通流量調整手段とを具備し、前記選択手段が前記第１の連通流量調整手段及び第２の連通流量調整手段を制御することにより、前記第１及び第２の連通路の何れか一方を選択的に前記吐水路とすることを特徴とするイオン整水器にある。
【００３０】
かかる第１０の態様では、電極に印加する電圧の極性や流路を切り替えることなく、アルカリイオン水及び酸性イオン水を吐水路から吐水させることができる。
【００３１】
本発明の第１１の態様は、第１〜１０の何れかの態様において、前記空間の前記電解槽とは接触しない領域の少なくとも一部に空気が残留している空気部を有することを特徴とするイオン整水器にある。
【００３２】
かかる第１１の態様では、空気部を設けておくことで、可撓膜が変形しやすくなり、電解槽内で生じる水圧差がより確実に吸収される。
【００３３】
本発明の第１２の態様は、第１〜１１の何れかの態様において、前記電解槽の全面が前記可撓膜で構成されていることを特徴とするイオン整水器にある。
【００３４】
かかる第１２の態様では、電解層内で生じる水圧差が、可撓膜が変形することで確実に吸収される。
【００３５】
本発明の第１３の態様は、第１〜１２の何れかの態様において、前記可撓膜がプラスチックシートからなることを特徴とするイオン整水器にある。
【００３６】
かかる第１３の態様では、可撓膜を所定材料で形成することで、電解層内の水圧差を確実に吸収することができる。
【００３７】
本発明の第１４の態様は、第１〜１３の何れかの態様において、前記水道水供給路からの水道水を前記電解槽と共に当該電解槽と前記整水器本体との間の空間にも供給するようにしたことを特徴とするイオン整水器にある。
【００３８】
かかる第１４の態様では、電解層内で生じる水圧差が電解槽の一部を構成する可撓膜が変形することで実質的に吸収されるため、イオン交換膜が変形することによる破損が防止される。したがって、電解槽に供給する水道水の水圧を上昇することができ、吐水路からの吐水量を増加させることができる。
【００３９】
本発明の第１５の態様は、第１〜１４の何れかの態様において、前記空間に供給された水道水を外部に排出する水道水排出路を具備することを特徴とするイオン整水器にある。
【００４０】
かかる第１５の態様では、電解槽と整水器本体との間の空間に水道水を供給すると共に外部に排出することで、この空間に貯留された水道水の圧力と電解槽内に供給される水道水の圧力とが常に一定に保持される。
【００４１】
本発明の第１６の態様は、第１５の態様において、前記水道水排出路と前記排出路とを連通させ、前記電解槽と前記整水器本体との間の空間に供給された水道水を、前記排出路から他方の整水と共に外部に排出するようにしたことを特徴とするイオン整水器にある。
【００４２】
かかる第１６の態様では、電解槽と整水器本体との間の空間に供給された水道水を比較的容易に外部に排出することができる。
【００４３】
本発明の第１７の態様は、第１〜１６の何れかの態様において、前記一対の電極のそれぞれが、多孔性材料からなるスペーサの一方面にそれぞれ固定され、これらスペーサが前記イオン交換膜を挟持するように前記電解槽内に配設されていることを特徴とするイオン整水器にある。
【００４４】
かかる第１７の態様では、イオン交換膜がスペーサによって挟持されるため、電解槽内の圧力差による変形がより確実に防止される。
【００４５】
本発明の第１８の態様は、第１〜１７の何れかの態様において、前記一対の電極のそれぞれが、前記電解槽内に前記イオン交換膜と所定間隔離れて配設されていることを特徴とするイオン整水器にある。
【００４６】
かかる第１８の態様では、複数の電解槽を設けることによりアルカリイオン水の流量を増加させることができる。
【００４７】
本発明の第１９の態様は、第１〜１８の何れかの態様において、前記吐水路には、水栓が設けられていると共に、当該吐水路から吐水される一方の整水の吐水量が前記水栓により調整されることを特徴とするイオン整水器にある。
【００４８】
かかる第１９の態様では、水栓の開閉によって吐水路から吐水される整水の吐水量が機械的に制御されていると電解槽内の圧力差が生じやすいが、このような場合でも可撓膜の変形によって圧力差が吸収されるため、イオン交換膜の破損が防止できる。
【００４９】
本発明の第２０の態様は、第１〜１９の何れかの態様において、前記電解槽を二段以上の多段にし、第１段電解槽には前記水道水供給路から直接水道水を供給するようにすると共に第２段以降の後段電解槽には、その前段の電解槽が生成したアルカリイオン水及び酸性イオン水の何れか一方の整水を供給するようにし、各段の電解槽で生成された他方の整水を前記吐水路から吐水するようにすると共に、最も後段の電解槽で生成された他方の整水を前記排出路から排出するようにしたことを特徴とするイオン整水器にある。
【００５０】
かかる第２０の態様では、多段からなる電解槽のうち、前段の電解槽で生成された一方の整水を後段の電解槽に供給してさらにアルカリイオン水と酸性イオン水とに生成するため、最も後段の電解槽で生成された一方の整水のみを排出路から排出させることができ、一段からなる電解槽の構造に比べて、吐水路からの吐水量に対する排出路からの排出量を大幅に低減することができる。
【発明の効果】
【００５１】
本発明のイオン整水器によれば、電解槽内の圧力差によるイオン交換膜の破損が防止され且つ電解槽の水道水の圧力による破壊が防止されているので、比較的大量のアルカリイオン水又は酸性イオン水を同一の吐水路から選択的に供給することができる。また、本発明のイオン整水器によれば、水栓の開閉の度合いに関係なく、吐水路から吐水される吐水量に対して、排出路から排出される排出量を所定の割合に調整することができると共に、排出路から無駄に排出されるのを防止することができる。
【発明を実施するための最良の形態】
【００５２】
以下、本発明を実施形態に基づいて詳細に説明する。
【００５３】
（実施形態１）
図１は、本発明の実施形態１に係るイオン整水器の側面図であり、図２は、そのＡ−Ａ′断面図であり、図３は、イオン整水器の概略構成を示す図であり、図４は、制御系を示す概略ブロック図である。
【００５４】
図示するように、本発明のイオン整水器１０の外枠を構成する整水器本体１１内には、内部で水道水が電離されてアルカリイオン水と酸性イオン水とが生成される複数の電解槽１２が保持されている。また、整水器本体１１には、原水側の水道管１１０Ａからの水道水を内部に導入する水道水導入口１１ａと、電解槽１２内で生成されたアルカリイオン水及び酸性水の何れか一方を吐水する吐水口１１ｂと、アルカリイオン水又は酸性イオン水の他方を排出する排出口１１ｃとを具備する。
【００５５】
具体的には、整水器本体１１の水道水導入口１１ａと連通して水道水供給路を有する水道水供給パイプ１３が各電解槽１２の下端部側に接続され、また電解槽１２の上端部側には、吐水口１１ｂと連通する吐水パイプ１４と、排出口１１ｃと連通する排出パイプ１５とがそれぞれ接続されている。そして、これらの各パイプ１３、１４、１５が整水器本体１１に固定されることで、各電解槽１２が整水器本体１１内に保持されている。
【００５６】
各電解槽１２内には、それぞれイオン交換膜１６が固定されており、このイオン交換膜１６によって電解槽１２内が２つの空間１２ａ、１２ｂに区切られている。また、電解槽１２内のイオン交換膜１６に対向する領域には、一対の電極１７ａ、１７ｂがそれぞれ設けられており、各電極１７ａ、１７ｂは、整水器本体１１に設けられた端子部１８と接続配線１９によって接続されている。本実施形態では、これらの各電極１７ａ、１７ｂは、例えば、メッシュ状のプラスチックシート等からなりイオン交換膜１６と同等の大きさを有する固定部材２０の一方の面にそれぞれ取り付けられている。そして、これらの固定部材２０が、各空間１２ａ、１２ｂにイオン交換膜１６を挟持するように配置されることで、イオン交換膜１６に対向する領域に電極１７ａ、１７ｂが設けられている。
【００５７】
このような電解槽１２の少なくともイオン交換膜１６に対向する領域の一部、本実施形態では、電解槽１２全体が所定の柔軟性を有する可撓膜によって形成されている。例えば、本実施形態では、電解槽１２が、厚さが０．３ｍｍ程度のプラスチックシートによって形成されている。
【００５８】
また、このような複数の電解槽１２が保持された整水器本体１１内、すなわち、各電解槽１２と整水器本体１１との間の空間には水道水が供給され、整水器本体１１内に貯まった水道水（貯留水）２１中に各電解槽１２が保持されている。また、整水器本体１１内には、電解槽１２に接触しない領域の一部、例えば、本実施形態では、排出パイプ１５の上部に空気が残留している空気部２２が存在する。このように内部に水道水が供給される整水器本体１１は、水道水の水圧に耐えられる程度の剛性を有する材料、例えば、ステンレス鋼等で形成する必要がある。
【００５９】
また、貯留水２１は、本実施形態では、整水器本体１１の水道水導入口１１ａからの水道水が電解槽１２と共に整水器本体１１内に供給されたものである。すなわち、水道水供給パイプ１３の先端部に、整水器本体１１内に連通する微小な連通孔２３が設けられており、この連通孔２３を介して整水器本体１１内に水道水（貯留水２１）が供給されている。そして、本実施形態では、排出パイプ１５の先端部にも、整水器本体１１内に連通する微小な連通孔２４が設けられており、貯留水２１はこの連通孔２４を介して排出パイプ１５に排出されるようになっている。このため、本実施形態では、整水器本体１１内の排出パイプ１５の上部、すなわち、連通孔２４の上部側は、空気が残留している空気部２２となっている。
【００６０】
なお、本実施形態では、連通孔２４を介して貯留水２１を排出パイプ１５から破棄するアルカリイオン水又は酸性イオン水と共に外部に排出するようにしたが、勿論、貯留水２１を外部に排出する水道水排出路を整水器本体１１に設け、排出するアルカリイオン水又は酸性イオン水とは別に外部に排出するようにしてもよい。
【００６１】
このようなイオン整水器１０は、図３に示すように、水道水供給パイプ１３が、原水側の水道管１１０Ａに接続され、吐水パイプ１４が、蛇口１００側の水道管１１０Ｂに接続される。そして、蛇口１００に設けられた水栓１０１の開閉量によって蛇口１００から吐水される吐水量が調整されるようになっている。また、排出パイプ１５の一端は、電解槽１２によって生成されたアルカリイオン水又は酸性イオン水が排出される排出口１２０と接続される。なお、本実施形態では、水道水供給パイプ１３の内部が水道水を供給する水道水供給路となっており、吐水パイプ１３、吐水パイプ１３に接続された水道管１１０Ｂ及び蛇口１００が一方の整水を吐水する吐水路となっている。また、排出パイプ１５及び排出口１２０が他方の整水を排出する排出路となっている。
【００６２】
また、イオン整水器１０の吐水路の途中、本実施形態では、吐水パイプ１４と水道管１１０Ｂとの接続部分に蛇口１００からの吐水量を検出する吐水量検出手段４０が設けられている。なお、吐水量検出手段４０としては、例えば、羽根車のシャフトに取り付けたマグネットの回転を検出して水量を測定する流量センサ等が挙げられる。
【００６３】
さらに、イオン整水器１０の排出路の途中、本実施形態では、排出パイプ１５の途中には、排出口１２０からの排出量を調整する排出量調整手段３０が設けられている。なお、排出量調整手段３０としては、例えば、モータ等の駆動によりボールバルブを開閉させることで流量を調整する流量調整バルブ等が挙げられる。そして、これらの吐水量検出手段４０が検出した流量は、制御装置６０に送られると共に、検出結果によって制御装置６０が排出量調整手段３０を制御するようになっている。
【００６４】
ここで制御装置６０は、整水器本体１１の外部に設けられおり、制御装置６０には図４に示すように、電源５０が電気的に接続されると共に整水器本体１１に設けられた端子部１８と図示しない接続配線を介して電気的に接続されており、制御装置６０によって電極１７ａ、１７ｂに所定の電圧が印加されるようになっている。
【００６５】
また、制御装置６０は、電極１７ａ、１７ｂに印加する電圧の極性を反転させる選択手段６１と、吐水量検出手段４０が検出した検出結果に応じて排出量調整手段３０を制御して吐水量に対する排出量を所定の割合とする流量制御手段６２とを具備する。
【００６６】
選択手段６１は、制御装置６０が電極１７ａ、１７ｂに印加する電圧の極性を反転させることにより、蛇口１００からアルカリイオン水及び酸性イオン水の何れか一方の整水を選択的に吐水させるものである。すなわち、選択手段６１は、電極１７ａが正極、電極１７ｂが陰極となるように電圧を印加することで、空間１２ｂでアルカリイオン水を生成して、吐水口１１ｂを介して吐水パイプ１４からアルカリイオン水を供給すると共に空間１２ａで酸性イオン水を生成して排出口１１ｃを介して排出パイプ１５から酸性イオン水を排出させる。また、選択手段６１が電極１７ａ、１７ｂに印加する電圧の極性を反転、すなわち電極１７ａが陰極、電極１７ｂが正極となるように電圧を印加することで、空間１２ａで酸性イオン水を生成して吐水口１１ｂを介して吐水パイプ１４から酸性イオン水を供給することができる。
【００６７】
このように、選択手段６１が電極１７ａ、１７ｂに印加する電圧の極性を反転させることで、同一の蛇口１００（吐水路）からアルカリイオン水及び酸性イオン水の何れか一方の整水を選択的に吐水させることができるため、使用者の用途に合わせて所望の整水を容易に且つ簡便に供給することができる。すなわち、利用者は、水栓１０１を開閉するだけで、蛇口１００からアルカリイオン水又は酸性イオン水を選択的に得ることができる。
【００６８】
また、選択手段６１が電極１７ａ、１７ｂに印加する電圧の極性を反転させることで、通常の使用方法に比べて各機能をバランスよく維持することができ、電極１７ａ、１７ｂ及びイオン交換膜１６の寿命を延命させると共に、整水能力を長期間に亘り維持させることが可能となる。なお、このような選択手段６１としては、例えば、切替スイッチや切替回路等を用いることができる。選択手段６１として切替スイッチを用いた場合には、利用者が直接切替スイッチを切り替えることで、電極１７ａ、１７ｂに印加する電圧の極性を反転させるようにしてもよく、また、利用者が操作パネル等で入力することにより、選択手段６１に電圧の極性の切替を行わせるようにしてもよい。
【００６９】
一方、制御装置６０の流量制御手段６２は、吐水量検出手段４０が検出した蛇口１０１からの実際の吐水量を取得し、取得した吐水量に対して排出口１２０から排出される排出量が所定の割合となるように排出量調整手段３０を制御するようになっている。すなわち、排出量調整手段３０は、流量制御手段６２によって制御されることにより、排出パイプ１５の内部（排出路）の開口面積を変化させて排出口１２０からの排出量を調整するようになっている。
【００７０】
なお、本実施形態の流量制御手段６２は、蛇口１００から吐水させる一方の整水の吐水量に対する排出口１２０から排出させる他方の整水の排出量の割合を変更自在に制御することができるようになっている。例えば、本実施形態のイオン整水器１０では、蛇口１００からアルカリイオン水を吐水させる場合、蛇口１００からアルカリイオン水を所定の整水濃度（例えば、ｐＨ９）以上で吐水させながら、排出口１２０からの酸性イオン水の排出量を最小限とすることができる酸性イオン水量は、アルカリイオン水量に対して約２０％となる。このため、流量制御手段６２はアルカリイオン水量に対して酸性イオン水量が２０％以上となるように排出量調整手段３０を制御することができる。このような流量制御手段６２による吐水量に対する排出量の割合の制御は、図示しない入力手段等を介して使用者の指示により可変できるようにすればよい。なお、流量制御手段６１は、蛇口１００から吐水される一方の整水に対して排出口１２０から排出される他方の整水が常に所定の割合となるように排出量調整手段３０を制御するようにしてもよい。何れにしても、本実施形態のイオン整水器１０は、電解槽１２を可撓膜で形成しているため、詳しくは後述するが、電解槽１２の空間１２ａと空間１２ｂとの流量を変えることで圧力差が生じたとしても可撓膜が変形することでこの圧力差が吸収されるため、イオン交換膜１６の変形による破壊を防止することができる。
【００７１】
また、このような選択手段６１及び流量制御手段６２を有する制御装置６０としては、入力信号に基づいて演算可能であり、その演算結果に基づいて信号を出力する機能を持つものであれば、その構成は問わない。また、制御装置６０は、整水器本体１１の外部に設置されているが、整水器本体１１の内部に保持させるようにしてもよい。
【００７２】
以下、このようなイオン整水器の動作について説明する。
【００７３】
上述したように、イオン整水器１０は水道管１１０の途中に配設されているため、電解槽１２内には水道水供給パイプ１３から水道水が常に所定の圧力で供給されている。そして、利用者が蛇口１００部分に設けられた水栓１０１を開くと、電解槽１２内で生成されたアルカリイオン水又は酸性イオン水の一方の整水が吐水パイプ１４を介して蛇口１００から所定の流量で吐水され始める。また同時に、吐水パイプ１４と水道管１１０Ｂとの間に設けられた吐水量検出手段４０が、吐水パイプ１４を一方の整水が流れ始めたことを検出し、この吐水量検出手段４０からの信号に基づいて、制御装置６０によって電解槽１２内の電極１７ａ、１７ｂ間に所定の電圧が印加される。さらに、流量制御手段６２が排出パイプ１５の途中に設けられた排出量調整手段３０を駆動することにより、排出口１２０から他方の整水が排出されると共に排出口１２０からの排出量が調整される。すなわち、図４に示す一例のように、制御装置６０は、吐水量検出手段４０が検出した一方の整水の吐水量を取得し、排出する他方の整水の排出量が一方の整水の吐水量に対して小さな割合となるように演算して排出量調整手段３０を駆動する。
【００７４】
ここで、水道水供給パイプ１３を介して電解槽１２の下端部側から電解槽１２内に供給された水道水は、イオン交換膜１６で区切られた両側の空間１２ａ、１２ｂにそれぞれ流れ込む。そして、両電極１７ａ、１７ｂ間には制御装置６０によって所定の電圧が印加されているため、電解槽１２内、すなわち、イオン交換膜１６と各電極１７ａ、１７ｂとの間を通過する際に、水道水中は水素イオンＨ＋と水酸イオンＯＨ−とに電離し、水素イオンＨ＋がイオン交換膜１６を介して一方の空間に集まることで、アルカリイオン水と酸性イオン水とが生成される。また、このとき、例えば選択手段６１が電極１７ａを正極、電極１７ｂを陰極となるように電圧を印加させると、２つの空間のうちの−電極（陰極）１７ｂ側の空間１２ｂでは、イオン交換膜１６を通過して水素イオンＨ＋が集まり、水道水（２Ｈ２Ｏ）は、電子（２ｅ-）によりＨ２＋２ＯＨ-に整水され、アルカリイオン水が生成される。一方、＋電極（陽極）１７ａ側の空間１２ａでは、水道水（２Ｈ２Ｏ）は、Ｏ２＋４Ｈ＋＋４ｅ-に整水され、酸性イオン水が生成される。このように水道水は、この電解槽１２を通過する際に連続的に電離され、これにより生成されたアルカリイオン水が蛇口１００から吐水されると共に、酸性イオン水が排出口１２０から排出される。
【００７５】
また、逆に、選択手段６１が、電極１７ａが陰極、電極１７ｂが正極となるように電圧を反転して印加させると、電極１７ｂ側の空間１２ｂに酸性イオン水が生成されて、酸性イオン水が蛇口１００から吐水される。一方、電極１７ａ側の空間１２ａにはアルカリイオン水が生成されて、アルカリイオン水が排出口１２０から排出される。
【００７６】
このように、選択手段６１が電極１７ａ、１７ｂの極性が反転するように電圧を印加することにより、同一の蛇口１００からアルカリイオン水又は酸性イオン水を選択的に供給することができる。
【００７７】
また、利用者は整水を得るために水栓１０１を調整して吐水量を調整するため、流量制御手段６２が排出量調整手段３０を制御することによって、蛇口１００からの吐水量に対する排出口１２０からの排出量が所定の割合となるように調整するようになっている。この流量制御手段６２による吐水量に対する排出量の割合の調整は、上述のように、利用者の要望に応じて変更自在となっており、常に排出量が吐水量に対して小さな割合となるように設定することができる。
【００７８】
すなわち、利用者がアルカリイオン水だけを利用したい場合には、選択手段６１が蛇口１００からアルカリイオン水が吐水されるように電極１７ａ、１７ｂに印加される電圧の極性を制御すると共に、流量制御手段６２はアルカリイオン水に対する酸性イオン水の水量が約２０％となるように排出量調整手段３０を制御する。これにより酸性イオン水の排出量を低減させて、効率よくアルカリイオン水を供給することができる。
【００７９】
また、利用者が酸性イオン水だけを利用したい場合には、選択手段６１が蛇口１００から酸性イオン水が吐水されるように電極１７ａ、１７ｂに印加される電圧の極性を制御すると共に、流量制御手段６２が酸性イオン水に対するアルカリイオン水の水量が約２０％となるように流量調整手段３０を制御する。これによりアルカリイオン水の排出量を低減させて、効率よく酸性イオン水を供給することができる。
【００８０】
このように、流量制御手段６２が、蛇口１００からの吐水量に対する排出口１２０からの排出量が所定の割合となるように変更自在に制御すると共に、選択手段６１が電極１７ａ、１７ｂに印加される電圧の極性を反転させることで、利用者の要望に合わせてアルカリイオン水又は酸性イオン水を同一の蛇口１００（吐水路）から選択的に供給することができる。また、流量制御手段６２は、吐水量に対する排出量の割合を一定の比率となるように制御することができるため、一方の整水の吐水量に対する排出量を最小限に抑えることができる。さらに、蛇口１００からの吐水量に対する排出口１２０からの排出量の割合を調整することによって、蛇口１００から吐水されるアルカリイオン水又は酸性イオン水の整水濃度を制御することができる。
【００８１】
そして、利用者が水栓１０１を閉めることでアルカリイオン水及び酸性イオン水の何れか一方の整水の供給が停止され、これに伴い吐水パイプ１４内の流れが止まると、吐水量検出手段４０の信号によって排出パイプ１５の途中に設けられた排出量調整手段３０が駆動し、排出口１２０からの他方の整水の排出が停止される。
【００８２】
ここで、水栓１０１の開閉により供給パイプ１４内の流れが発生又は停止する時刻と、吐水量検出手段４０がそれを感知して排出量調整手段３０が開閉される時刻とは、若干のタイムラグが存在する。このタイムラグによって生じる流水の慣性作用により、電解槽１２内のアルカリイオン水側の空間１２ｂと酸性イオン水側の空間１２ａとの内部圧力に差が生じてしまう。さらに、排出する酸性イオン水量を常にアルカリイオン水量の２０％前後に制御すると、電解槽１２が破損し易くなる。すなわち、アルカリイオン水量と酸性イオン水量が１０対２の排出割合に保持されることにより、電解槽１２内では、アルカリイオン水側の空間１２ｂと酸性イオン水側の空間１２ａとの内部圧力に差が生じてしまう。イオン交換膜１６は、例えば、膜厚が１２μｍ程度であるため、この圧力差によってイオン交換膜１６が変形して破損する虞がある。
【００８３】
しかしながら、本実施形態では電解槽１２が可撓膜で形成されているため、例えば、上述のように水栓１０１を開ける際に２つの空間１２ａ、１２ｂに圧力差が生じたとしても、図５に示すように、電解槽１２自体が内側に変形することでこの圧力差が吸収されるため、イオン交換膜１６の変形による破損を防止することができる。なお、水栓１０１を閉じた際には、電解槽１２自体が外側に変形することで内部の圧力差が吸収される。したがって、上述のようにアルカリイオン水量と酸性イオン水量の排出割合を１０対２に保持することによって生じる圧力差についても、比較的容易に吸収することができる。
【００８４】
また、電解槽１２内には、上述したように、その内面の電極１７ａ、１７ｂとイオン交換膜１６との間に挟持されるように固定部材２０が設けられている。すなわち、これらの固定部材２０によってイオン交換膜１６が挟持されている。したがって、これらの固定部材２０によってもイオン交換膜１６の変形が抑えられ、電解槽１２の内部圧力差によるイオン交換膜１６の破損をより確実に防止することができる。なお、本実施形態では、電解槽１２全体が可撓膜で形成されているが、勿論、電解槽１２内の圧力差を吸収できれば、可撓膜からなる可撓部を電解槽１２のイオン交換膜１６に対向する領域の一部に設けるようにしてもよい。
【００８５】
また、電解槽１２の変形によって２つの空間１２ａ、１２ｂの圧力差を吸収するためには、電解槽１２は、比較的高い柔軟性を有する必要があり、例えば、イオン交換膜１６よりも柔軟性を有することが好ましい。この条件を満たすために、電解槽１２は、比較的膜厚の薄いプラスチックフィルムからなる可撓膜で形成されている。このため、電解槽１２は、それ自体では水道水供給パイプ１３を介して電解槽１２内に供給される水道水の圧力、例えば、１〜６ｋｇ／ｃｍ２程度の圧力に耐えられず破壊されてしまう虞がある。
【００８６】
しかしながら、本実施形態では、水道水供給パイプ１３を介して電解槽１２内に水道水が供給される際、水道水供給パイプ１３の先端部の連通孔２３から整水器本体１１内にも水道水が供給され、整水器本体１１内に貯まった貯留水２１内に各電解槽１２が保持されている。このため、整水器本体１１内の貯留水２１の圧力は、電解槽１２内に供給された水道水と略同一の圧力に保持され、電解槽１２の外面にも、その内面と略同一の水圧がかかる。したがって、電解槽１２内に供給される水道水によって電解槽１２の内面に比較的高い圧力がかかった場合でも、電解層１２の外面にも略同一の圧力がかかることになり、電解槽１２自体も水圧の変化に伴う変形によって破損することはない。
【００８７】
また、本実施形態では、貯留水２１は、排出パイプ１５に設けられた連通孔２４から排出口１２０から排出される整水と共に外部に排出されるようになっている。すなわち、整水器本体１１内には水道水が満充填されておらず、連通孔２４の上部側には空気が残留している空気部２２が存在する。このため、上述した電解槽１２内の圧力差に伴う電解槽１２の変形が貯留水２１によって妨げられることがなく、イオン交換膜１６の破損を防止することができる。
【００８８】
すなわち、上述したように電解槽１２内の圧力差により電解槽１２が変形した場合、整水器本体１１内の容積が変化する。このとき、貯留水２１自体は実質的に容積変化しないため、整水器本体１１内に貯留水２１が満充填されていると、貯留水２１によって電解槽１２の変形が妨げられる。しかしながら、本実施形態では、整水器本体１１内に空気部２２が存在し、電解槽１２が変形した場合にこの空気部２２が容積変化するため、電解槽１２の変形が妨げられることがない。したがって、整水器本体１１内に空気部２２を設けておくことで、イオン交換膜１６の破損をより確実に防止することができる。
【００８９】
なお、このような空気部２２の容積は、特に限定されないが、整水器本体１１内の容積の２０〜３０％程度の大きさであることが好ましい。
【００９０】
このように本実施形態のイオン整水器１０では、水道水を比較的高い水圧で供給してもイオン交換膜１６及び電解槽１２が破損することがないため、所定数の電解槽１２を並設することで、水道水と同等の流量、例えば、一般家庭用では２０〜３０（Ｌ／分）程度、業務用では１００（Ｌ／分）程度の流量でアルカリイオン水又は酸性イオン水を利用者に供給することができる。
【００９１】
したがって、このようなイオン整水器１０によって生成したアルカリイオン水を電気温水器等の給湯器に供給して温水として利用者に提供することもでき、アルカリイオン水を飲料用や料理用としてだけではなく、例えば、入浴やシャワーに利用することができる。また、本実施形態では、選択手段６１によって蛇口１００から大量の酸性イオン水を供給することができるため、このようなイオン整水器１０によって生成した酸性イオン水は家庭用及び業務用の消毒、殺菌、洗顔等の美容などに利用することができる。
【００９２】
（実施形態２）
図６は、本発明の実施形態２に係るイオン整水器の断面図である。なお、上述した実施形態と同様の部材には同一の符号を付して重複する説明は省略する。
【００９３】
図６に示すように、電解槽１２Ａには、イオン交換膜１６と、イオン交換膜１６に対向するように、一対の電極１７ａ、１７ｂが設けられている。また、電解槽１２Ａは、上述した実施形態と同様に、全体が所定の柔軟性を有する可撓膜によって形成されている。
【００９４】
各電極１７ａ、１７ｂのそれぞれは、電解槽１２Ａの内面に設けられた４つの固定部材２０Ａによって固定されている。この固定部材２０Ａは、電解槽１２Ａの内面と電極１７ａ、１７ｂとの間に設けられて、例えば、１ｍｍの隙間を形成する円筒形状を有するスペーサ２０ａと、スペーサ２０ａとの間で電極１７ａ、１７ｂを挟持する円筒形状を有するスリーブ２０ｂと、スペーサ２０ａ及びスリーブ２０ｂを挿通して一端が電解槽１２Ａに固定されたリベット２０ｃとで構成されている。
【００９５】
また、イオン交換膜１６は、電極１７ａを保持するスリーブ２０ｂと電極１７ｂを保持するスリーブ２０ｂとの間で挟持されている。すなわち、イオン交換膜１６は、各電極１７ａ、１７ｂを固定するスリーブ２０ｂによって４箇所で挟持されている。このとき、各電極１７ａ、１７ｂとイオン交換膜１６間は、例えば、それぞれ３ｍｍの隙間となるように構成すればよい。
【００９６】
このような電解槽１２Ａは、イオン交換膜１６が４つの固定部材２０Ａによって点で挟持されていても、水栓１０１の開閉により圧力差が生じた際に、可撓膜によって圧力差を吸収することができるため、イオン交換膜１６を破損するのを防止することができる。
【００９７】
すなわち、上述した実施形態１では、メッシュ状の固定部材２０によってイオン交換膜１６を挟持することで、イオン交換膜１６の破損を防止していたが、電解槽１２Ａの全体を可撓膜で形成することによって、可撓膜により圧力差を吸収することができるため、イオン交換膜１６が４つの固定部材２０Ａによって点で挟持されていても、イオン交換膜１６の破損を防止することができる。
【００９８】
（実施形態３）
図７は、本発明の実施形態３に係るイオン整水器の概略構成を示す図であり、図８は、本発明の実施形態３に係るイオン整水器の制御系を示す概略ブロック図である。なお、上述した実施形態と同一の部材には同一の符号を付して重複する説明は省略する。
【００９９】
図７に示すように、実施形態３のイオン整水器１０Ａの外枠を構成する整水器本体１１内には、複数の電解槽１２が保持されており、吐水口１１ｂと接続された吐水パイプ１４には、水道管１１０Ｂとの接続部分に蛇口１００からの吐水量を検出する吐水量検出手段４０が設けられている。
【０１００】
また、排出パイプ１５には、排出口１２０からの排出量を調整する排出量調整手段３０が設けられており、また、排出量調整手段３０よりも下流側の排出パイプ１５には、排出口１２０からの排出量を検出する排出量検出手段４１が設けられている。
【０１０１】
そして、図８に示すように、イオン整水器１０Ａの制御装置６０Ａは、電極１７ａ、１７ｂに印加する電圧の極性を反転させる選択手段６１と、吐水量調整手段４０が検出した蛇口１００からの吐水量に対する排出口１２０からの排出量が所定の割合となるように排出量調整手段３０を制御する流量制御手段６２Ａを具備する。
【０１０２】
流量制御手段６２Ａは、吐水量検出手段４０が検出した蛇口１００からの吐水量を取得し、排出口１２０からの排出量が所定の割合となるように排出量調整手段３０を制御する。また、本実施形態の流量制御手段６２Ａは、排出パイプ１５に設けられた排出量検出手段４１が検出する排出口１２０からの実際の排出量を取得し、この排出量に基づいて排出量調整手段３０をフィードバック制御している。これにより、流量制御手段６２Ａは、蛇口１００からの吐水量に対する排出口１２０からの排出量の割合を実際の流量から制御することができ、吐水量と排出量との割合を高精度に制御することができる。
【０１０３】
なお、本実施形態の流量制御手段６２Ａは、上述した実施形態１と同様に、蛇口１００からの吐水量に対する排出口１２０からの排出量の割合を変更自在となるように排出量調整手段３０を制御するようにしてもよく、また、蛇口１００からの吐水量に対する排出口１２０からの排出量の割合が常に一定となるように排出量調整手段３０を制御するようにしてもよい。何れにしても、流量制御手段６２Ａによる排出口１２０からの排出量は、蛇口１００からの吐水量に対して小さな割合となるように設定すれば、排出口１２０から排出される整水の水量を減少させて、水道水の無駄な消費を低減し、効率よく蛇口１００から整水を供給することができる。
【０１０４】
なお、本実施形態では、流量制御手段６２が排出量検出手段４１の検出した排出量を取得し、排出量調整手段３０をフィードバック制御するようにしたが、特にこれに限定されず、例えば、排出量制御手段６２が、吐水量検出手段４０及び排出量検出手段４１の流量を取得し、これに基づいて両者の比が所定の範囲となるように排出量調整手段３０を制御するようにしてもよい。
【０１０５】
（実施形態４）
図９は、本発明の実施形態４に係るイオン整水器の断面図である。なお、上述した実施形態１と同様の部材には、同一の符号を付して重複する説明は省略する。
【０１０６】
図９に示すように、本実施形態のイオン整水器１０Ｂは、上述した実施形態１と同様の電解槽１２が内部に複数保持された整水器本体１１を有する。また、本実施形態の電解槽１２の電極１７ａ、１７ｂには常に同一の極性の電圧が印加されるようになっており、電解槽１２内で水道水を電解することにより、空間１２ｂでアルカリイオン水を生成すると共に空間１２ａで酸性イオン水を生成するものである。
【０１０７】
また、電解槽１２の空間１２ｂに連通する吐水パイプ１４には、空間１２ｂと蛇口１００側の水道管１１０Ｂとを連結して第１の流路を構成する第１の連結パイプ７０が設けられている。また、電解槽１２の空間１２ａに連通する排出パイプ１５Ａには、空間１２ａと排出口１２０側の排出パイプ１５Ｂとを連結して第２の流路を構成する第２の連結パイプ７１が設けられている。
【０１０８】
また、第１の連結パイプ７０には、その上流側から分岐して第２の連結パイプ７１に連結して第３の流路を構成する第３の連結パイプ７２が設けられており、第２の連結パイプ７１には、その上流側から分岐して第１の連結パイプ７０に連通して第４の流路を構成する第４の連結パイプ７３が設けられている。
【０１０９】
さらに、これら第１〜第４の連結パイプ７０〜７３の途中には、第１〜第４の流量調整手段３１〜３４がそれぞれ設けられており、電解槽１２の空間１２ａ及び空間１２ｂと蛇口１００及び排出口１２０とは、これら第１〜第４の流量調整手段３１〜３４の開閉によって相互に接続されるようになっている。なお、第１の流量調整手段３１は、第１の連結パイプ７０上の第３の連結パイプ７２の分岐部より下流側で第４の連結パイプ７３の連通部より上流側に設けられている。また、第２の流量調整手段３２は、第２の連結パイプ７１上の第４の連結パイプ７３の分岐部より下流側で第３の連結パイプ７２の連通部より上流側に設けられている。また、第３の流量調整手段３３は、第３の連結パイプ７２上に設けられ、第４の流量調整手段３４は、第４の連結パイプ７３上に設けられている。また、これら第１〜第４の流量調整手段３１〜３４は、例えば、電磁石の駆動により流路を開閉させることができる電磁バルブ等を挙げることができる。
【０１１０】
ここで、本実施形態では、蛇口１００及びこれに接続された水道管１１０Ｂが吐水路となり、排出口１２０及びこれに接続された排出パイプ１５Ｂが排出路となっており、第１〜第４のパイプ７０〜７３が、電解槽１２の空間１２ａ及び空間１２ｂと吐水路及び排出路とを相互に接続する接続流路を構成している。そして、接続流路である第１〜第４の連結パイプ７０〜７３に設けられた第１〜第４の流量調整手段３１〜３４が反転手段を構成しており、この反転手段の開閉によって電解槽１２の空間１２ａ及び空間１２ｂが蛇口１００に選択的に接続されるようになっている。
【０１１１】
また、本実施形態では、上述した実施形態１と同様に、第１の連結パイプ７０と蛇口１００側の水道管１１０Ｂとの接続部分には、蛇口１００からの吐水量を検出する吐水量検出手段４０が設けられており、また、第２の連結パイプ７１と排出口１２０側の水道管排出パイプ１５Ｂとの接続部分には、排出口１２０からの排出量を調整する排出量調整手段３０が設けられている。
【０１１２】
ここで、このようなイオン整水器１０Ｂの制御系について説明する。なお、図１０は、イオン整水器の制御系を示す概略ブロック図である。
【０１１３】
図１０に示すように、制御装置６０Ｂには、反転手段を制御して蛇口１００からアルカリイオン水又は酸性イオン水を選択的に吐水させる選択手段６１Ａと、吐水量検出手段４０が検出した検出結果に応じて排出量調整手段３０を制御して吐水量に対する排出量を所定の割合とする流量制御手段６２とを具備する。
【０１１４】
選択手段６１Ａは、第１〜第４の流量調整手段３１〜３４をそれぞれ選択的に開閉させることで、電解槽１２の空間１２ａ及び空間１２ｂと蛇口１００及び排出路１２０とを相互に接続する第１〜４の連結パイプ７０〜７３で構成される接続流路を切り替えて、蛇口１００からアルカリイオン水又は酸性イオン水を選択的に吐水させるものである。
【０１１５】
具体的には、選択手段６１Ａが第１及び第２の流量調整手段３１、３２を開くと共に、第３及び第４の流量調整手段３３、３４を閉じることで、電解槽１２の空間１２ｂと蛇口１００とを第１の連結パイプ７０で連通させると共に電解槽１２の空間１２ａと排出口１２０とを第２の連結パイプ７１で連通させる。本実施形態では、この状態を第１の切替状態としている。そして、この第１の切替状態では、電解槽１２の空間１２ｂで生成されたアルカリイオン水が第１の連結パイプ７０を介して蛇口１００から吐水される。また、このとき、電解槽１２の空間１２ａで生成された酸性イオン水が第２の連結パイプ７１を介して排出口１２０から排出される。
【０１１６】
また、選択手段６１Ａが第１及び第２の流量調整手段３１、３２を閉じると共に、第３及び第４の流量調整手段３３、３４を開くことで、電解槽１２の空間１２ａと蛇口１００とを第４の連結パイプ７３で連通させると共に電解槽１２の空間１２ｂと排出口１２０とを第３の連結パイプ７２で連通させる。本実施形態では、この状態を第２の切替状態としている。そして、この第２の切替状態では、電解槽１２の空間１２ａで生成された酸性イオン水が第１の連結パイプ７０を介して蛇口１００から吐水される。また、このとき、電解槽１２の空間１２ｂで生成されたアルカリイオン水が第３の連結パイプ７２を介して排出口１２０から排出される。
【０１１７】
このように、選択手段６１Ａは、第１〜第４の流量調整手段３１〜３４で構成された反転手段を制御することによって、反転手段を第１の切替状態と第２の切替状態とにさせて、蛇口１００からアルカリイオン水又は酸性イオン水を選択的に吐水させることができる。そして、選択手段６１Ａが蛇口１００からアルカリイオン水及び酸性イオン水の何れか一方の整水を選択的に吐水させると共に、流量制御手段６１が他方の整水の排出量を減少させることができる。
【０１１８】
すなわち、本実施形態では、水道管１１０Ｂと蛇口１００とがアルカリイオン水及び酸性イオン水の何れか一方の整水を吐水して、この一方の整水を利用者に利用させる吐水路となっていると共に、排出口１２０と排出口１２０側の排出パイプ１５Ｂとが他方の整水を排出する排出路となっている。
【０１１９】
なお、本実施形態では、第２の連結パイプ７１と排出口１２０側の排出パイプ１５Ｂとの間に排出口１２０からの排出量を調整する排出量調整手段３０を設けるようにしたが、特にこれに限定されず、例えば、第１〜第４の流量調整手段３１〜３４を、第１〜第４の連結パイプ７０〜７３の流量を調整できる流量調整バルブとして、流量制御手段６１が第１〜第４の流量調整手段３１〜３４を制御するようにしてもよい。すなわち、選択手段６１Ａが反転手段を第１の切替状態とした場合には、流量制御手段６１が第２の流量調整手段３２を制御することで排出口１２０からの排出量を調整することができる。また、選択手段６１Ａが反転手段を第２の切替状態とした場合には、流量制御手段６１が第３の流量調整手段３３を制御することで排出口１２０からの排出量を調整することができる。
【０１２０】
また、本実施形態では、選択手段６１Ａが電極１７ａ、１７ｂに印加する電圧の極性を反転させずに、第１〜４の流量調整手段３１〜３４で構成された反転手段の第１の切替状態と第２の切替状態とを反転させるようにしたが、特にこれに限定されず、例えば、選択手段が電極１７ａ、１７ｂに印加する電圧の極性を反転させると共に反転手段の第１の切替状態と第２の切替状態とを反転させるようにしてもよい。すなわち、蛇口１００からアルカリイオン水及び酸性イオン水の何れか一方の整水を吐水させた状態から、選択手段が電極１７ａ、１７ｂに印加する電圧の極性を反転させると共に、反転手段を第１の切替状態から第２の切替状態に反転させることで、蛇口１００から引き続き一方の整水が吐水される。これは、例えば、所定の周期で電圧の反転と流路の反転とを同時に行うことで、通常の使用方法に比べて各機能をバランスよく維持することができ、電極１７ａ、１７ｂ及びイオン交換膜１６の寿命を延命させると共に、整水能力を長期間に亘り維持させることが可能となる。
【０１２１】
（実施形態５）
図１１は、本発明の実施形態５に係るイオン整水器の要部断面図である。なお、上述した実施形態と同様の部材には同一の符号を付して重複する説明は省略する。
【０１２２】
本実施形態の電解槽１２の電極１７ａ、１７ｂには常に同一の極性の電圧が印加されるようになっており、電解槽１２内で水道水を電解することにより、空間１２ｂでアルカリイオン水を生成すると共に空間１２ａで酸性イオン水を生成するものである。
【０１２３】
そして、図１１に示すように、本実施形態では、電解槽１２の空間１２ｂに連通する吐水パイプ１４及び電解槽１２の空間１２ａに連通する排出パイプ１５Ａの２系統の流路と、蛇口１００側の水道管１１０Ｂ及び排出口１２０側の排出パイプ１５Ｂとの２系統の流路とを接続する２入力２出力の切替弁からなる反転手段３００を具備する。
【０１２４】
反転手段３００は、２つの入力口３０１、３０２と、２つの出力口３０３、３０４とを有し、２つの入力口３０１及び３０２には、吐水パイプ１４及び排出パイプ１５Ａがそれぞれ接続されると共に、２つの出力口３０３及び３０４には、蛇口１００側の水道管１１０Ｂ及び排出口１２０側の排出パイプ１５Ｂがそれぞれ接続されている。
【０１２５】
この反転手段３００は、位置決め回転することにより２つの入力口３０１及び３０２と、２つの出力口３０３及び３０４をとの接続状態を反転することができる切替流路３１１〜３１４を有する回転弁３１０を具備し、回転弁３１０の回転位置により図１１に示す２つの接続状態を具備する。すなわち、入力口３０１と出力口３０３とが流路３１１を介して連通すると共に入力口３０２と出力口３０４とが流路３１２を介して連通する状態（第１の切替状態）と、入力口３０１と出力口３０４とが流路３１３を介して連通すると共に
入力口３０２と出力口３０３とが流路３１４を介して連通する状態（第２の切替状態）とが切り替えられるようになっている。例えば、本実施形態では、図１１（ａ）が第１の切替状態であり、図１１（ｂ）が第２の切替状態である。
【０１２６】
このような反転手段３００としては、電気的に駆動されることで流体の方向を他の方向に切り替えることができる機能を持つ物であれば、回転弁３１０に限定されるものではなく、その構成は問わない。
【０１２７】
そして、図示しない選択手段が反転手段３００を制御することで、第１の切替状態と第２の切替状態とを反転させて、蛇口１００からアルカリイオン水又は酸性イオン水を選択的に吐水させることができる。
【０１２８】
（実施形態６）
図１２は、本発明の実施形態６に係るイオン整水器の概略構成を示す図である。なお、上述した実施形態と同様の部材には同一の符号を付して重複する説明は省略する。
【０１２９】
図１２に示すように、本実施形態の電解槽１２の電極１７ａ、１７ｂには常に同一の極性の電圧が印加されるようになっており、電解槽１２内で水道水を電解することにより、空間１２ｂでアルカリイオン水を生成すると共に空間１２ａで酸性イオン水を生成するものである。
【０１３０】
また、電解槽１２の空間１２ｂに連通する吐水パイプ１４には、吐水パイプ１４内の流量を検出する吐水量検出手段４０と、吐水量検出手段４１よりも上流側に吐水パイプ１４の流量を調整する吐水量調整手段３５とが設けられている。
【０１３１】
さらに、電解槽１２の空間１２ａに連通する排出パイプ１５には、排出パイプ１５内の流量を検出する排出量検出手段４１と、排出量検出手段４１よりも上流側に排出パイプ１５の流量を調整する排出量調整手段３０とが設けられている。
【０１３２】
なお、本実施形態では、吐水パイプ１４が電解槽１２の空間１２ａに連通する第１の連通流路となり、排出パイプ１５が電解槽１２の空間１２ｂに連通する第２の連通流路となっている。また、吐水パイプ１４に設けられた吐水量検出手段４０が第１の連通流量検出手段となり、吐水量調整手段３５が第１の連通流量調整手段となっている。さらに、排出パイプ１５に設けられた排出量検出手段４１が第２の連通流量検出手段となり、排出量調整手段３０が第２の連通流量調整手段となっている。
【０１３３】
また、本実施形態の整水器本体１１には、内部の貯留水２１を外部に排出する図示しない水道水排出路が設けられている。この水道水排出路は、吐水パイプ１４及び排出パイプ１５と連通せずに独立して貯留水２１を外部に排出させるものである。
【０１３４】
ここで、このようなイオン整水器１０Ｃの制御系を図１３に示す。なお、図１３は、イオン整水器の制御系を示す概略ブロック図である。
【０１３５】
図１３に示すように、制御装置６０Ｃには、吐水量検出手段４０と排出量検出手段４１が検出した検出結果に応じて吐水量調整手段３５及び排出量調整手段３０を制御して、吐水パイプ１４からの吐水量と排出パイプ１５からの排出量との割合を制御する流量制御手段６２Ｂが設けられている。
【０１３６】
この流量制御手段６２Ｂは、吐水量検出手段４０が検出した吐水パイプ１４の流量と、排出量検出手段４１が検出した排出パイプ１５の流量とを取得し、吐水量調整手段３５及び排出量調整手段３０を制御することにより、吐水パイプ１４からの流量と排出パイプ１５からの流量とを調整するものであり、本実施形態の流量制御手段６２Ｂが選択手段として機能するようになっている。
【０１３７】
具体的には、電解槽１２の空間１２ｂで生成されたアルカリイオン水を主として供給する場合には、流量制御手段６２Ｂが、吐水量調整手段３５を全開にすると共に、吐水パイプ１４の流量に対する排出パイプ１５からの流量が小さな割合となるように排出量調整手段３０を制御する。これにより、吐水パイプ１４を吐水路として、吐水パイプ１４からアルカリイオン水を供給すると共に、排出パイプ１５を排出路として排出パイプ１５から酸性イオン水を排出する。
【０１３８】
なお、このとき流量制御手段６２Ｂは、排出パイプ１５に設けられた排出量検出手段４１が検出する排出パイプ１５の実際の流量を検出し、この流量に基づいて排出量検出手段３０をフィードバック制御している。これにより、流量制御手段６２Ｂは、吐水パイプ１４からのアルカリイオン水量に対する排出パイプ１５からの酸性イオン水量の割合を実際の流量から制御することができ、アルカリイオン水量と酸性イオン水量との割合を高精度に制御することができる。
【０１３９】
逆に、電解槽１２の空間１２ａで生成された酸性イオン水を主に供給する場合には、流量制御手段６２Ｂが、排出量調整手段３０を全開にすると共に、排出パイプ１５の流量に対する吐水パイプ１４の流量が小さな割合となるように吐水量調整手段３０を制御する。これにより、排出パイプ１５を吐水路として、排出パイプ１５から酸性イオン水を供給すると共に、吐水パイプ１４を排出路として吐水パイプ１４からアルカリイオン水を排出する。
【０１４０】
なお、このとき流量制御手段６２Ｂは、吐水パイプ１４に設けられた吐水量検出手段４０が検出する吐水パイプ１４の実際の流量を検出し、この流量に基づいて吐水量検出手段３５をフィードバック制御している。これにより、流量制御手段６２Ｂは、排出パイプ１５からの酸性イオン水量に対する吐水パイプ１４からのアルカリイオン水量の割合を実際の流量から制御することができ、酸性イオン水量とアルカリイオン水量との割合を高精度に制御することができる。
【０１４１】
なお、本実施形態では、流量制御手段６２Ｂが選択手段として機能するようにしたが、特にこれに限定されず、例えば、上述した実施形態３及び４のように選択手段と反転手段とを設けるようにしてもよい。
【０１４２】
（他の実施形態）
以上、本発明の各実施形態を説明したが、本発明の基本的な構成は上述したものに限定されるものではない。
【０１４３】
例えば、上述した実施形態１〜６では、排出パイプ１５、１５Ｂに電磁バルブ等の排出量調整手段３０を設け、流量制御手段６２が排出用調整バルブ３０を制御することで排出量を変更できるようにしたが、排出量調整手段３０は電磁バルブに限定されるものではなく、例えば、排出パイプ１５、１５Ｂの排出路を開閉するだけの開閉バルブとしてもよい。
【０１４４】
また、流量制御手段６２が行う排出量調整手段３０の駆動は、連続的な駆動ではなく、段階的な駆動であってもよい。すなわち、排出口１２０から排出される整水の排出量は、吐水量を複数のレベルに設定しておき、そのレベルに合わせて段階的に制御させるものであってもよい。
【０１４５】
さらに、上述した実施形態１〜６では、複数の電解槽１２、１２Ａが、整水器本体１１内に所定の間隔で並設されるようにしたが、特にこれに限定されず、例えば、隣接する各電解槽１２の間に間隔を空けずに、外周面が接触するように並設するようにしてもよい。このように隣接する各電解槽１２に間隔を空けずに、並設するようにしても、接触していない可撓膜によって電解槽内の圧力差の吸収を行わせることができると共に、小型化することができる。
【０１４６】
また、上述した実施形態１〜６では、６つの電解槽１２、１２Ａのそれぞれに電解溶液を導入し、各電解槽１２、１２Ａが生成したアルカリイオン水及び酸性イオン水の何れか一方の整水が直接蛇口１００から吐水されると共に、他方の整水が排出口１２０から排出されるようにしたが、特にこれに限定されず、例えば、電解槽１２から生成された一方の整水をさらに他の電解槽で電解するようにしてもよい。ここで、このような例を図１４に示す。なお、図１４は、電解槽の配置を示す概略図である。
【０１４７】
図１４に示すように、上述した実施形態１と同様の６つの電解槽１２が並設されており、右側５つの電解槽１２が主電解槽１２Ｂであり、左側１つの電解槽１２が補助電解槽１２Ｃである。右側５つの電解槽１２、すなわち、主電解槽１２Ｂは、その下流側が水道水供給パイプ１３と連通しており下流側から水道水が供給されるようになっていると共に、上流側が吐水パイプ１４Ａと連通しており主電解槽１２Ｂ内で生成された一方の整水が吐水されるようになっている。さらに、主電解槽１２Ｂは、上流側が排出パイプ１５Ｂと連通しており主電解槽１２Ｂ内で生成された他方の整水が排出されるようになっている。
【０１４８】
また、左側１つの電解槽１２、すなわち、補助電解槽１２Ｃは、排出パイプ１５Ｂの途中に設けられており、当該補助電解槽１２Ｃの下流側から内部へ他方の整水が供給されるようになっていると共に、上流側に吐水パイプ１４Ａと連通する補助吐水パイプ１４Ｂが設けられており、補助電解槽１２Ｃ内で生成された一方の整水が吐水されるようになっている。
【０１４９】
このような接続構成においては、水道水供給パイプ１３を介して水道水が主電解槽１２Ｂ、すなわち、右側５つの電解槽１２の全てに供給される。そして、供給された水道水は、それぞれの主電解槽１２Ｂ内でアルカリイオン水と酸性イオン水とに電気分解される。そして、それぞれの主電解槽１２Ｂ内で生成された一方の整水は、吐水パイプ１４Ａを経て蛇口１００から吐水される。一方で、主電解槽１２Ｂ内で生成された他方の整水は、排出パイプ１５Ｂの途中に設けられた補助電解槽１２Ｃに供給される。そして、供給された他方の整水は、補助電解槽１２Ｃ内で再びアルカリイオン水と酸性イオン水とに電気分解される。
【０１５０】
ここで、補助電解槽１２Ｃ内で生成された一方の整水は、補助吐水パイプ１４Ｂから吐水パイプ１４Ａを経て蛇口１００から吐水される。一方で、補助電解槽１２Ｃ内で生成された他方の整水は、排出パイプ１５Ｃを経て排出口１２０から排出される。以上のような接続構成とすることで、最終的に排出口１２０から排出させる他方の整水の排出量を低減させることができる。例えば、本実施形態の電解槽の構成では、蛇口１００からアルカリイオン水を吐水させる場合、アルカリイオン水のｐＨを維持した状態で排出口１２０からの酸性イオン水の排出量を最小とすることができる、酸性イオン水の水量は、アルカリイオン水に対して約３％となる。このような構成としても、上述した実施形態１〜３と同様に、選択手段６１によって全ての電解槽１２の電極１７ａ、１７ｂに印加する電圧の極性を同時に反転させることにより、蛇口１００からアルカリイオン水又は酸性イオン水を選択的に供給することができる。また、吐水パイプ１４Ａと排出パイプ１５Ｃとに上述した実施形態４と同様に、第１〜第４の連結パイプ３１〜３４からなる接続流路と、第１〜第４の流量調整手段７０〜７４の反転手段とを設け、選択手段６１Ａによって反転手段を制御するようにしても、蛇口１００からアルカリイオン水又は酸性イオン水を選択的に供給することができる。さらに、吐水パイプ１４Ａと排出パイプ１５Ｃとに上述した実施形態５と同様に、反転手段３００を設け、選択手段６１Ａによって反転手段を制御するようにしても、蛇口１００からアルカリイオン水又は酸性イオン水を選択的に供給することができる。
【０１５１】
また、上述した実施形態１〜５では、電解槽１２〜１２Ｂに水道水供給パイプ１３を介して水道水を供給するようにしたが、特にこれに限定されず、例えば、水道水供給パイプ１３の途中に、水道水に乳酸カルシウム、グリセロリン酸カルシウム等の食品添加物として認められた安全性の高いカルシウム化合物を添加するカルシウム添加手段を設けるようにしてもよい。このようにカルシウム添加手段によって水道水にカルシウムを添加することで水道水の導電性を高めて、各地の水道水の水質にバラツキがあっても電解槽で確実に電離を行うようにすると共に、アルカリイオン水にカルシウムイオンを添加して、利用者がカルシウムを効率よく得ることができ、且つ酸性イオン水を美容目的などで利用することができる。
【０１５２】
また、水道水供給パイプ１３の途中に、水道水に塩化ナトリウムや希塩酸等の補助電解剤を添加して電解溶液を生成した後、この電解溶液を正負の電極間にイオン交換膜を介在させた電解槽内で電解することで強アルカリ性水及び強酸性水からなる強電解水を生成させるようにしてもよい。
【図面の簡単な説明】
【０１５３】
【図１】本発明の実施形態１に係るイオン整水器の側面図である。
【図２】本発明の実施形態１に係るイオン整水器の断面図である。
【図３】本発明の実施形態１に係るイオン整水器の概略構成を示す図である。
【図４】本発明の実施形態１に係るイオン整水器の制御系を示す概略ブロック図である。
【図５】本発明の実施形態１に係る電解槽を示す断面図である。
【図６】本発明の実施形態２に係るイオン整水器の断面図である。
【図７】本発明の実施形態３に係るイオン整水器の概略構成を示す図である。
【図８】本発明の実施形態３に係るイオン整水器の制御系を示す概略ブロック図である。
【図９】本発明の実施形態４に係るイオン整水器の概略構成を示す図である。
【図１０】本発明の実施形態４に係るイオン整水器の制御系を示す概略ブロック図である。
【図１１】本発明の実施形態５に係るイオン整水器の要部断面図である。
【図１２】本発明の実施形態６に係るイオン整水器の概略構成を示す図である。
【図１３】本発明の実施形態６に係るイオン整水器の制御系を示す概略ブロック図である。
【図１４】本発明の他の実施形態に係る電解槽の配置を示す概略図である。
【符号の説明】
【０１５４】
１０、１０Ａ、１０Ｂ、１０Ｃ  イオン整水器
１１、１１Ａ  整水器本体
１２、１２Ａ  電解槽
１３  水道水供給パイプ
１４、１４Ａ  吐水パイプ
１４Ｂ  補助吐水パイプ
１５、１５Ａ、１５Ｂ、１５Ｃ  排出パイプ
１６  イオン交換膜
１７ａ、１７ｂ  電極
２０、２０Ａ  固定部材
３０  排出量調整手段
３１〜３４  流量調整手段
３５  吐水量調整手段
４０  吐水量検出手段
４１  排出量検出手段
６０、６０Ａ、６０Ｂ  制御装置
６１、６１Ａ  選択手段
６２、６２Ａ、６２Ｂ  流量制御手段
【図１】
2005342646.tif 000003
【図２】
2005342646.tif 000004
【図３】
2005342646.tif 000005
【図４】
2005342646.tif 000006
【図５】
2005342646.tif 000007
【図６】
2005342646.tif 000008
【図７】
2005342646.tif 000009
【図８】
2005342646.tif 000010
【図９】
2005342646.tif 000011
【図１０】
2005342646.tif 000012
【図１１】
2005342646.tif 000013
【図１２】
2005342646.tif 000014
【図１３】
2005342646.tif 000015
【図１４】
2005342646.tif 000016